(57)【特許請求の範囲】
【請求項１】
丸鋸刃を受け入れるよう適合されている携帯丸鋸であって、前記刃は、正反対の第１及び第２表面を有している中央取り付け部分、及び、刃周辺に沿い配置されている切断縁へと前記中央取り付け部分から延出している正反対の第１及び第２平坦表面を伴っている切断部分を含んでいて、前記切断縁の回転が刃円弧を規定しており、前記鋸が：
ａ．長手方向を規定している正反対の前端及び後端と；
ｂ．正反対の前端及び後端を有しているモータ枠部分であって、
ｉ．前記モータ枠部分に設置されているとともに駆動軸に動作的に連結されていて、前記駆動軸が前記モータ枠部分の第１横側から突出しているとともに第１横方向中心線を規定している、モータと、そして、
ｉｉ．前記駆動軸と同心で前記モータ枠部分第１横側から横方向に延出している刃覆い中心軸と、
を含んでいるモータ枠部分と；
ｃ．前記モータ枠部分後端に連結されていて、握りと前記モータを選択的に動作させる為のモータアクチュエータとを含んでいるハンドル部分と；
ｄ．前記モータ枠部分第１横側に連結されていて、平坦支持表面を含んでいる刃デッキと；
ｅ．前記駆動軸に連結されていて、前記刃中央取り付け部分に合致するよう適合されている第１取り付け面を含んでおり、ここにおいては前記第１取り付け面から前記刃デッキ平坦支持表面への距離が刃オフセット深さを規定する回転軸と；
ｆ．展開位置と引っ込み位置との間で移動可能であり、側壁第１端から側壁第２端へと前記刃円弧の一部分を取り囲んでいるアーチ状の横に突出している側壁を有していて、前記アーチ状側壁が前記刃デッキ支持表面と同一平面である対面縁を含んでおり、前記刃覆い中心軸に回転可能に連結されている下方刃覆いと；
ｇ．前縁から正反対の後縁へと長手方向に延出しているとともに前記モータ枠部分第１横側に近接した第１横縁から第２横縁へと横方向に延出している台座デッキであって、前記台座デッキの複数の縁が平坦支持表面を規定しており、第２横方向中心線の回りで枢動可能に前記モータ枠部分に連結されているとともに刃切断深さを調整するよう前記第２横方向中心線の回りで使用者が選択可能な複数のピッチ角で固定可能であり、さらに、第１長手方向中心線の回りで枢動可能に前記モータ枠に連結されているとともに前記第１長手方向中心線の回りで使用者が選択した複数の傾斜角で固定可能である、台座デッキと；
を備えていて、
そして、
ｈ．ここにおいて前記ハンドル部分が、第２長手方向中心線の回りで回転するよう前記モータ枠部分後端に回転可能に連結されているとともに使用者が選択した複数の回転位置で固定可能であって、使用者が選択した前記複数の回転位置が少なくとも０°及び９０°を含んでいる、
丸鋸。
【請求項２】
ａ．前記下方刃覆いを垂直に展開された位置と引っ込められた位置との間で移動させるよう前記下方刃覆いに動作的に連結された第１下方刃覆いトリガー、
をさらに備えている、請求項１に記載の丸鋸。
【請求項３】
ａ．第１の手で前記握りを握っている間に、操作者の第１の親指により操作されて良いよう、前記握りに近接して前記ハンドル部分に設置されている前記第１下方刃覆いトリガー、
をさらに備えている、請求項２に記載の丸鋸。
【請求項４】
ａ．前記握りに近接して前記ハンドル部分の前記第１横側に沿い前記ハンドル部分に設置されている前記第１刃覆いトリガーと；そして、
ｂ．前記下方刃覆いを前記垂直な展開位置と前記引っ込み位置との間で移動させるよう前記下方刃覆いに動作的に連結されていて、前記第１刃覆いトリガーから前記ハンドル部分の反対側の横側に沿い前記握りに近接して配置されていて、反対側の第２の手で前記握りを握っている間に操作者の親指により操作されて良い、第２下方刃覆いトリガー；
をさらに備えている、請求項３に記載の丸鋸。
【請求項５】
前記丸鋸刃が、前記駆動軸に取り外し可能に連結されることができ、ここにおいて前記中央取り付け部分の前記第２表面が前記回転軸の前記第１取り付け面に合致するよう適用されている第２取り付け面を備えていて；そして、
ここにおいては、前記第２取り付け面から前記刃第１平坦表面への距離が前記刃オフセット深さに等しく、前記刃第１平坦表面が前記刃デッキ平坦支持表面に対し同一平面である、
請求項１に記載の丸鋸。
【請求項６】
ａ．ここにおいては、前記中央取り付け部分が前記丸鋸刃第２表面から横にオフセットされている、ことをさらに備えている、請求項５に記載の丸鋸。
【請求項７】
ａ．複数の固定具受け入れ孔をさらに含んでいる前記回転軸と；
ｂ．前記取り付け部分第１表面上に皿穴を有していて前記複数の固定具受け入れ孔に対し直線状に整列されている複数の第１取り付け開口を有している前記刃中央取り付け部分と；そして、
ｃ．前記複数の第１取り付け開口及び前記固定具受け入れ孔を介し前記刃を前記回転軸に係合させる為の複数の傾斜頭固定具であって、前記複数の第１取り付け開口を介し十分に係合された時に前記複数の固定具の頭が前記取り付け部分第２表面と同一平面になる複数の傾斜頭固定具と；
をさらに備えている、請求項５に記載の丸鋸。
【請求項８】
ａ．前記刃中央取り付け部分が前記取り付け部分第２表面上に皿穴を有している複数の第２取り付け開口をさらに有していて、前記複数の第２取り付け開口は前記複数の固定具受け入れ孔に対し直線状に整列され、前記刃が裏返し可能であり、前記複数の固定具が前記複数の第２取り付け開口を介し前記中央取り付け部分第２表面と同一平面で係合可能である、
ことをさらに備えている、請求項７に記載の丸鋸。
【請求項９】
ａ．前記駆動軸の横断面が軸直径を規定していて；
ｂ．前記刃覆い中心軸が駆動軸と同心的であって駆動軸を取り囲んでおり、前記刃覆い中心軸が外部刃覆い中心軸直径を規定している外部軸受表面を有していて、前記外部軸受表面が前記刃覆い中心軸上に下方刃覆いを回転可能に受け入れ；
ｃ．前記刃覆い中心軸がさらに、前記モータ軸直径よりも大きな内部刃覆い中心軸直径を規定している内部軸受表面を含んでいて、前記刃覆い中心軸内部軸受表面は回転軸第１部位を回転可能に受け入れ；
ｄ．前記回転軸が：
ｉ．前記駆動軸上に連結し前記覆い中心軸内部軸受表面内である中空中心軸を備えている第１部位と；そして、
ｉｉ．前記第１部位から延出しており、前記第１取り付け面を含んでいるフランジを備えている第２部位と、
をさらに備えている、
ことをさらに備えている、請求項１に記載の丸鋸。
【請求項１０】
ａ．ここにおいては、前記中心軸フランジ直径が、前記刃覆い中心軸上に前記刃覆いを保持する為に、前記刃覆い中心軸外部軸直径よりも大きいことを、
さらに備えている、請求項９に記載の丸鋸。
【請求項１１】
ａ．回転軸キャップであって：
ｉ．刃中心取り付け部分を介し中心取り付け開口中に挿入しそして係合する刃係合突起；
ｉｉ．刃中心取り付け部分第１表面に対面する取り囲み回転軸キャップフランジ；
ｉｉｉ．そこを介して固定具を受け入れる回転軸キャップ中央開口；
を有している回転軸キャップと、そして、
ｂ．刃を前記中央開口を介し前記中心軸に対し係合させる中央固定具と、
をさらに備えている、請求項９に記載の丸鋸。
【請求項１２】
ａ．前記回転軸キャップが、前記回転軸キャップが刃に対し係合し前記回転軸が前記刃切断部分第１平坦表面を越えて突出しないよう寸法決めされている深さを有している、
ことをさらに備えている、請求項１１に記載の丸鋸。
【請求項１３】
ａ．正反対の前縁及び後縁とそれらの間を延出している平坦支持表面とを有しており、前記台座デッキ前縁に近接して前記台座デッキと前記後縁に近接してヒンジ状に連結されているとともに第３横方向中心線の回りで枢動可能であり、少なくとも第１位置と第２位置とで固定可能である前デッキ部分、
をさらに備えており、
前記第１位置においては、前記前デッキ平坦支持表面が前記台座デッキ平坦支持表面に対し同一平面であるとともに前記前デッキ部分前縁が前記刃円弧の前に延出し、
前記第２位置においては、前記前デッキ平坦支持表面が前記台座デッキ平坦支持表面に対し垂直であるとともに前方を向いている、
請求項１に記載の丸鋸。
【請求項１４】
ａ．前記前デッキ部分を少なくとも前記第１又は前記第２位置に固定する為の固定ピンと、前記固定ピンに接近する為の前デッキ開口と、をさらに含んでいる前記前デッキ部分をさらに備えていて、
前記前デッキ部分が前記第２位置にある時、前記前デッキ開口が前記固定ピンと直線状に整列するよう配置される、
請求項１３に記載の丸鋸。
【請求項１５】
ａ．前記刃デッキ支持表面が前記刃円弧の一部分を取り囲むよう前に延出し、それにより刃デッキ内部縁を規定し、前記刃円弧と前記刃デッキ内部縁との間の距離が前記引っ込められた位置における前記下方刃覆い側壁の一部分を受け入れる刃隙間を規定している、
ことをさらに備えている、請求項１に記載の丸鋸。
【請求項１６】
ａ．ここにおいては、前記下方刃覆いが前記展開位置へと付勢されている、
ことをさらに備えている、請求項１に記載の丸鋸。
【請求項１７】
ａ．ここにおいては、前記第１及び第２刃覆いトリガーが互いに独立して動作可能である、
ことをさらに備えている、請求項４に記載の丸鋸。
【請求項１８】
ａ．前記モータ巻線を電磁的に固定する為の電磁ブレーキをさらに備えていて、
前記ブレーキは、前記モータが動力源に連結されている間に前記モータトリガーが開放された時に自動的に動作される、
請求項１に記載の丸鋸。
【請求項１９】
ａ．第１端及び正反対の第２端を有していて、前記第１端は、前記第１長手方向中心線の回りに前記台座デッキを枢動させるよう前記第１長手方向中心線に沿い前記台座デッキ後縁から遠くで前記台座デッキに枢動可能に連結されており、前記第２端は、第２横方向中心線の回りに前記台座デッキを枢動させるよう前記第２横方向中心線で前記モータ枠部分に枢動可能に連結されている、ヒンジブロックと；
ｂ．前記台座デッキ前縁から遠くで前記台座デッキ第１横縁に近接して前記台座デッキ設けられていて、前記第１長手方向中心線の回りで前記台座デッキを枢動させるよう前記第１長手方向中心線に沿い直線状に整列されている長手方向ヒンジ継手を備えている第１部分及び第４横断方向中心線に沿い直線状に整列されている横方向ヒンジ継手を備えている第２部分を有している、双中心線ヒンジ連結器と；
ｃ．第１端，第２端，そして、近接した前記第１端から前記第２端へと延出している第１閉通路を有しているアーチ状軌道を備えていて、前記第１端が前記双中心線ヒンジ連結器第２部分に連結されており、前記第１閉通路がそこを介して突っ込み軸を摺動可能に受け入れる、第１摺動コネクタと；そして、
ｄ．前記モータ枠部分の前記第１横側から自由端へと延出している突っ込み軸であって、前記第１閉通路を介し延出し、前記第１アーチ状軌道及び前記モータ枠部分に対し固定可能に係合するよう前記突っ込み軸に対し連結されている選択的に解除可能な第１圧縮継手を有している、突っ込み軸、
をさらに備えている、請求項１に記載の丸鋸。
【請求項２０】
ａ．第１端及び正反対の第２端を有していて、前記第１端は、前記第１長手方向中心線の回りで前記台座デッキを枢動させるよう前記第１長手方向中心線に沿い前記台座デッキ後縁から遠くで前記台座デッキに対し枢動可能に連結されており、前記第２端は、第２横断方向中心線の回りで前記台座デッキを枢動させるよう前記第２横断方向中心線で前記モータ枠部分に枢動可能に連結されている、ヒンジブロックと；
ｂ．前記台座デッキを前記モータ枠部分へと連結するよう前記第１横縁に近接して配置され、前記第１長手方向中心線の回りで前記台座デッキを枢動させるよう前記第１長手方向に沿い直線状に整列されている長手方向回転可能連結器を備えている第１部分及び第４横方向中心線に沿い直線状に整列されている横方向回転可能連結器を備えている第２部分を有している双中心線連結器を更に備えている前記台座デッキと；
ｃ．重複している第１及び第２アーチ状部分を備えていて、
ｉ．前記第１アーチ状部分が、前記ヒンジブロック第１端から遠くで前記ヒンジブロックに連結されている第１端及び第２端を有しており；
ｉｉ．前記第２アーチ状部分が、前記台座デッキ後縁から遠いとともに前記台座デッキ第１横縁から遠くで前記台座デッキに連結されている第１端，第２端，そして、近接した前記第２アーチ状部分第１端から前記第２アーチ状部分第２端へと延出している閉通路を有しており；そして、
ｉｉｉ．前記第１及び第２アーチ状部分を互いに選択的に固定可能に係合する、選択的に解放可能な第２圧縮継手を備えている、
第２摺動コネクタと、
をさらに備えている、請求項１に記載の丸鋸。
【請求項２１】
ａ．前記傾斜角が略＋６５°乃至略−１０°の範囲内で連続的に調節可能であって、ここにおいては前記刃円弧に対し垂直に向けられている前記台座デッキ支持表面が０°を規定している、
ことをさらに備えている、請求項１に記載の丸鋸。
【請求項２２】
ａ．前記刃円弧を実質的に取り囲むよう、前記鋸に対し取り外し可能に連結可能である粉末カバーをさらに備えている、請求項１に記載の丸鋸。
【請求項２３】
前記粉末カバーが：
ａ．後カバー部分，下方刃カバー部分，そして前カバー部分；
をさらに備えていて、
ｂ．前記後カバー部分が、前記刃デッキに取り外し可能に設置されているとともに設置された刃の一部分を覆っていて；
ｃ．前記刃カバー部分が、前記下方刃覆いに対し取り外し可能に設置されているとともに前記第１横方向中心線と同心的に前記後カバー部分に対し回転可能に連結されていて、前記刃カバー部分が前記下方刃覆いとともに移動し；
ｄ．前記前カバー部分が、前記台座デッキ前縁に近接して前記台座デッキに対し取り外し可能に設置されているとともに前記台座デッキとともに移動可能である、
請求項２２に記載の丸鋸。
【請求項２４】
ａ．前記モータがさらに、前記モータ枠部分第１横側上に第１ブラシ接近口を含んでいて；
ｂ．前記刃デッキがさらに、モータブラシへの接近を提供するよう前記第１ブラシ接近口と直線状に整列された第１開口を含んでいる、
ことをさらに備えている、請求項１に記載の丸鋸。
【請求項２５】
ａ．第５横方向中心線で前記モータ枠部分第１横側に対し回転可能に連結されていて、第１直径を有している第１綱車及び前記第１直径よりも小さな第２直径を有している第２綱車を含んでいる２重プーリと；
ｂ．前記第１下方覆いトリガーを前記第１綱車に動作的に連結している第１ケーブルと；そして、
ｃ．前記第２綱車を前記下方刃覆いに動作的に連結している第２ケーブルと、
をさらに備えている、請求項２に記載の丸鋸。
【請求項２６】
ａ．前記第１下方刃覆いトリガーと前記第２下方刃覆いトリガーとの間に配置されていて、横方向を向いている橋状部分，前記橋状部分の正反対の端から第１及び第２脚端へと延出している第１及び第２脚，そして前記橋状部分の正反対の端から横方向に延出している正反対の第１及び第２タブを含んでおり、前記第１及び第２脚が第６横方向中心線上で前記第１及び第２下方刃覆いトリガーと同心的に前記ハンドル部分に対し枢動可能に連結されていて、前記第１及び第２タブが前記第１及び第２下方刃覆いトリガーに重複していている中央レバーであって、個々の前記トリガーが押された時に前記第１又は第２下方刃覆いトリガーの何れかがその対応している前記タブに対し係合し前記中央レバーを移動させる、中央レバーと；
ｂ．第５横方向中心線で前記モータ枠部分第１横側に回転可能に連結されていて、第１直径を有している第１綱車及び前記第１直径よりも小さな第２直径を有している第２綱車を含んでいる２重プーリと；
ｃ．前記中央レバーを前記第１綱車に動作的に連結している第１ケーブルと；そして、
ｄ．前記第２綱車を前記下方刃覆いに動作的に連結している第２ケーブルと、
をさらに備えている、請求項４に記載の丸鋸。
【請求項２７】
ａ．前記下方刃覆いを前記展開位置に向かい付勢するよう、前記モータ枠部分と前記下方刃覆いとの間に連結されている付勢ばね、
をさらに備えている、請求項２５に記載の丸鋸。
【請求項２８】
ａ．前記下方刃覆いを前記展開位置に向かい付勢するよう、前記モータ枠部分と前記下方刃覆いとの間に連結されている付勢ばね、
をさらに備えている、請求項２６に記載の丸鋸。
【請求項２９】
ゼロ隙間丸鋸であって、前記ゼロ隙間丸鋸が：
モータ枠部分；
前記モータ枠部分に連結されているモータ；
前記モータに連結されている駆動軸；
平坦支持表面を含んでいる刃デッキ；
前記駆動軸に連結されているとともに第１取り付け面を有しており、前記第１取り付け面から前記刃デッキ支持表面への距離が刃オフセット深さを規定している回転軸と；そして、
長手方向中心線の回りで回転するよう前記モータ枠部分に回転可能に連結されているとともに使用者が選択した複数の回転位置で固定可能であって、使用者が選択した前記複数の回転位置が少なくとも０°及び９０°を含んでおり、そしてここにおいては前記鋸が鋸刃を受け入れるよう構成されている、ハンドル部分と；
を備えていて、
前記鋸刃が：
ａ．正反対の第１及び第２表面を有していて、ここにおいては前記第２表面が前記第１取り付け面と合致するよう適合されている第２取り付け面を備えている中央取り付け部分と；
ｂ．前記中央取り付け部分から前記刃周辺に沿い配置されている切断縁へと延出している正反対の第１及び第２平坦表面を有していて、前記切断縁の回転が刃円弧を規定している、切断部分と；
を備えていて、
ｃ．ここにおいては、前記刃中央取り付け部分が前記刃切断部分第２表面から横にオフセットされているとともに、前記第２取り付け面から前記刃切断部分第１平坦表面への距離が前記刃オフセット深さに等しく、前記鋸へと取り付けられた時に前記刃切断部分第１平坦表面が前記刃デッキ平坦支持表面に対し同一平面である、
丸鋸。
【発明の詳細な説明】
【技術分野】
【０００１】
この出願は、２０１０年８月１８日に提出された、米国仮出願番号６１／４０１，８１４に対し優先権を主張する。
【０００２】
この発明は、切り込み鋸（undercut saw）の如き、ゼロ隙間（zero clearance）又は同一平面切断（flush cutting）の為の携帯用丸鋸に関係している。
【背景技術】
【０００３】
従来の携帯用丸鋸は、平坦な表面に対し、同一平面切断（flush cutting）、即ちゼロ隙間（zero clearance）、を安全に行うことが出来なかった。従来の工具は、外側の刃面を越えて外方に突出した取り付け具を使用して丸鋸を取り付けていて、そして、刃保護具が刃両面上に少なくとも部分的に延出しており、そして、鋸を第１面に対してそして鋸刃を第２平面に対して同一平面に支持するよう設けられている支持表面、即ちデッキ（deck）、が設けられていない。従来の工具はまた、調節可能でない固定されている前方刃保護具を使用しており、これは、優れた視界及び「跳ね上がり（bucking）」からの制御を提供するとともに異なった切断方向への滑らかで連続した移行、例えば、床縁に沿い、そして次には扉枠又は壁隅に沿い上方に連続した切断、を阻止する、前進入による鋸の挿入を操作者が行うことを阻止している。さらに、従来の設計は可動刃保護具の片方の手での効果的な制御を提供しておらず、そして操作者は、トリガー（trigger）を操作する為に一方の手を使用し刃保護具を操作する為に他方の手を使用する、即ち操作者の他方の手を移動している刃の近くに置く、ことを要求される、又は、何かが保護具中に挟まることによりそれを取り除く為に安全性を回避する、こともまた全く危険である（しかし不幸ながら非常に普通である）。
【０００４】
従来の工具の設計は、安全及び効率的な方法でこれらの機能の全てを行う能力を提供していないし、従来の丸鋸と同一平面切断（flush cutting）装置との間で変更できない。従来の単一目的工具は、他の不利益を有している。一般的には、それらは、例えば２インチ厚の積み重ねられた板の２又はそれ以上の層を備えている２重デッキ（double deck）を通した、深い切断を行うことが出来ず、そして斜め切断を行う為の制限された角度調整を提供している。
【０００５】
たくさんの装置が切り込み（undercutting）を行う能力を提供している。例えば、Ｃｒａｉｎ  Ｔｏｏｌｓ（商標）は、基板及び扉脇柱に沿って切り込み（undercut）を行うよう水平使用を可能にしている従来の「切り込み鋸（undercut saw）」、モデル８２０、を提供している。しかしながら、それは、デッキ（deck），調節可能な前案内具及び傾斜調整を欠いていて、垂直面を切断する為には役立たないし、３６０度輪郭切断の為には適していない。さらに、脇柱鋸は制御可能な刃保護具に欠いている。従来の丸鋸は同一平面切断（flush cutting）工具への変更が可能でない。従来の設計は、単一目的使用のみ（安全に）出来る。
【０００６】
Ｐｒａｔｔに対する米国特許第５，４８１，８０６号は、形態電動丸鋸の下方刃保護具に対する舌状取付具の為である。切断動作の間、この舌状取付具は、切断、２つに分ける作業、の最も近い縁上での下方刃保護具の前縁の束縛（binding）又は引っ掛かり（snagging）を阻止することを意図されている。その中に開示されている鋸は、如何なる他の携帯電動丸鋸以上にゼロ隙間切断（zero clearance cut）を行うことが出来るのではない。
【０００７】
米国特許第６，０２１，８２６号は、ほぞ穴−ほぞ・接ぎ（mortise-tenon joint）を形成する為の作業中にほぞ穴（mortise）を切り開く為の動力化されているチェーンソー（chain saw）切断システムを開示している。ゼロ隙間切断（zero clearance cut）は、システムの鋸バー（saw bar）の先端及びそれに乗っている切断チェーンが工作物の中にほぞ穴（mortise）を創出する為に工作物中に切り入るよう使用される方法でのみシステムにより行われることが出来る。この装置は、刃デッキ（deck）支持表面及び垂直及び水平貫通切断において使用する為の調節可能台座デッキ（deck）及び引っ込み可能同一平面刃覆いを欠いている。
【０００８】
米国特許第６，６０６，９３０  Ｂ２号は、屋根板の超過端及びそれに類似した物の切断における補助として意図されている、携帯電動丸鋸の為の鋸切断案内を開示している。開示されている鋸切断案内は、携帯動力丸鋸がゼロ隙間切断を達成することを許容しないし、通常の技術の人々が出願人の発明に到達することを手助けする開示は無い。米国特許公開第２００４／００３５２７４  Ａは同様である。
【０００９】
米国特許第４，２４５，３９０号は、携帯電動丸鋸の為の切り目付け（scoring）取付具を開示している。取付具はこのような携帯鋸の前端部分に取り付けられて、切断作業中の木材の裂けを減少又は無くすよう、回転している丸鋸刃と一直線状に整列されている木製物品の表面上に切り目（score）を付与する。この文献は、ゼロ隙間鋸の為に必要な解決を教えていない。
【００１０】
米国特許第６，５６８，０８８  Ｂ１号は、携帯動力切断工具の為の車輪取付具を開示している。この取付具は、切断作業の間の工作物上の鋸の移動の摩擦を減少させるよう、携帯電動丸鋸の前端に１対の側方に離れている回転車を取り付ける。これ等の車輪の全ては、刃の同じ側の上に置かれているが、これは鋸の安定性を強化するためであり、ゼロ隙間切断を達成する為ではない。
【００１１】
米国特許公開第ＵＳ  ２００７／０１３７４４６  Ａ１号は、携帯電動丸鋸を含むことが出来る手で保持される動力工具の為の案内具を開示している。案内具は、工作物上に横切りを行うことを意図されている。動力丸鋸に対する何の変更もなされていないし、ゼロ隙間切断を達成する為の示唆でさえ無い。
【００１２】
米国特許第５，１２１，５４５号は、鋸の取り扱いの安定性を向上させるばかりでなくより正確な切断を行う、携帯電動丸鋸の為の改良された台座傾き機構を開示している。動力丸鋸に対する何の変更もなされていないし、ゼロ隙間切断を達成する為の示唆でさえ無い。
【００１３】
米国特許第７，０４３，８４５  Ｂ２号は、共通の細長い木片から所望の厚さで十分な長さの縁飾り（trim）を正確に切断する為の囲い（fence）を提供する、携帯電動丸鋸の為の縁飾り（trim）取付具を開示している。この文献は、取り付け具を伴っている従来の丸鋸のみを教示していて、同一平面切断（flush cutting）が可能な鋸を開示していない。
【００１４】
従って：（１）携帯可能で；（２）ゼロ隙間切断能力を提供し；（３）連続した３６０度切断能力を提供し；（４）何れか一方の手を使用した片手によるトリガー（trigger）及び保護制御（guard control）を提供し；（５）斜め切断の為に調節可能であり；（６）刃の近接瞬間停止を提供し；（７）材木の複数の層を通った深い切断を安全に行うことが出来；（８）従来の丸鋸配置とゼロ隙間丸鋸配置との間の変換を行う能力を提供する、丸鋸の必要性がある。
【発明の概要】
【００１５】
変更可能なゼロ隙間丸鋸は：駆動軸に連結されたモータを有するモータ枠部分；モータ枠部分の後端に連結されていて、握り（handle grip），握り上のモータアクチュエータ，そして、操作者の親指により操作可能になるよう握りに接近した１つ又は２つの下方刃覆いトリガーを含んでいるハンドル部分，刃デッキ（deck）平坦支持表面及び刃デッキ平坦支持表面と同一表面になるよう設けられている円形切断刃；刃とモータ枠部分との間に配置され、刃切断縁を部分的に取り囲んでいるとともに刃デッキ平坦支持表面と同一平面の縁面を有しているアーチ状の側壁を含んでいて、展開位置と引っ込み位置との間で移動可能な下方刃覆い；横方向中心線及び長手方向中心線の回りに枢動可能な台座デッキ；そして、平坦な展開位置と垂直位置との間で移動するよう台座の前端に連結されている前デッキ部分、を含んでいる。ハンドルは、少なくとも０度と９０度とで固定するようモータ枠部分に回転可能に連結されていて良い。鋸は、鋸の動きに適用されるよう関節でつながれている、着脱可能粉末カバーを含むことが出来る。鋸は、皿ねじ（countersunk）及び傾斜された連結を伴っているオフセット刃又は平坦刃を含んで良い。刃覆いトリガーは、互いに独立して動作可能であって良い。下方刃覆いは、異なった直径の滑車輪の２重プーリ（double pulley）を介して刃覆いトリガーに対し動作可能に連結されていて良い。この鋸は、刃の近接瞬間停止の為の電磁ブレーキを含んで良い。この鋸は、標準的な平坦刃も同様に取り付けるよう変更して良い。
【００１６】
この発明の変更可能ゼロ隙間丸鋸は：（１）平坦な表面に対する３６０度同一平面切断；（２）垂直切断具又は切り込み鋸（undercut saw）として使用可能であり；（３）遠隔操作される刃覆いであって、その結果として操作者が彼らの指を動いている刃に接近して置かなくなり；（４）標準的な鋸よりも大きな傾斜面（bevel）及びピッチ／深さ調節を提供し；（５）標準的な丸鋸または突っ込み切断（plunge cut）鋸として使用されて良く；（６）安全の為の刃の瞬間的なブレーキ操作を提供し；（７）保守の為のモータ内部への容易な接近を提供し；（８）独立して動作可能な刃覆いトリガーが操作者の握りの邪魔をせず；（９）両手での操作を提供し；（１０）粉末カバーの使用を許容し；（１１）摩耗及び束縛（binding）と同様なものを減少させるプーリ（pully）で操作される刃覆いを含んで良い、ことを含んでいる、多数の利点を提供する。
【００１７】
この発明の更なる利点は、以下の記載の一部中に記載され、そして以下の記載から一部明らかなになり、又は、発明の実施により学習される。この発明の利点は、添付の特許請求の範囲中に特に指摘されている構成及び組み合わせにより実現され、そして得られることが出来る。この発明の実施形態の更なる利点及び好都合は、この発明の好適な実施形態を詳細にし示した添付の図面を参照して、以下の詳細な説明を考慮することから明らかになる。
【図面の簡単な説明】
【００１８】
この明細書中に組み込まれこの明細書の一部を構成している添付の図面は、この発明の１つ又はそれ以上の実施形態を図示し、詳細な記載とともに、この発明の原理及び実施を説明する為に役立つ。
【図１】図１は、ハンドル部分が９０度に回転されていて粉末カバーが設置されている第１実施形態の斜視図を示している。
【図２】図２は、ハンドル部分が０度位置であり粉末カバーが設置されている第１実施形態の斜視図を示している。
【図３】図３は、０度傾斜である第１実施形態の前面図を示している。
【図４】図４は、マイナス傾斜である第１実施形態の前面図を示している。
【図５】図５は、プラス傾斜である第１実施形態の前面図を示している。
【図６】図６は、プラスピッチ角であり前デッキ部分が引っ込められている第１実施形態の左側面図を示している。
【図７】図７は、プラスピッチ角であり、粉末カバーが設置されていて、前デッキ部分が延出されている第１実施形態の右側面図を示している。
【図８】図８は、第１実施形態の分解図である。
【図９】図９は、駆動軸及び刃・組立体の拡大された分解図である。
【図１０】図１０は、オフセット刃の平面図を示している。
【図１１】図１１は、オフセット刃の切り欠かれた側面図を示している。
【図１２】図１２は、オフセット刃の斜視図を示している。
【図１３】図１３は、第２実施形態の平坦な刃の斜視図を示している。
【図１４】図１４は、刃取り付け組立体の切り欠かれた側面図を示している。
【図１５】図１５は、同一平面に取り付けられた刃組立体の切り欠かれた前面図を示している。
【図１６】図１６は、同一平面に取り付けられた刃組立体の第２の切り欠かれた前面図を示している。
【図１７】図１７は、下方刃覆い裏側の斜視図を示している。
【図１８】図１８は、刃デッキの斜視図を示している。
【図１９Ａ】図１９Ａは、回転軸キャップの平面図を示している。
【図１９Ｂ】図１９Ｂは、回転軸キャップの側面図を示している。
【図２０】図２０は、台座デッキの斜視図を示している。
【図２１】図２１は、台座デッキの側面図を示している。
【図２２】図２２は、第２摺動コネクタ第１部位の側面図を示している。
【図２３】図２３は、第２摺動コネクタ第２部位の平面図を示している。
【図２４】図２４は、前デッキ部分が引っ込められている第１実施形態の側面図を示している。
【図２５】図２５は、前デッキ部分が延出されていて粉末カバーが設置されている第１実施形態の右側面図を示している。
【図２６】図２６は、前デッキ部分の底斜視図を示している。
【図２７】図２７は、前デッキ部分の上斜視図を示している。
【図２８】図２８は、下方刃覆い動作を指摘している第１実施形態の左側面図である。
【図２９】図２９は、粉末カバーが設置されている第１実施形態の左側面図を示している。
【図３０】図３０は、前カバー部分の斜視図を示している。
【図３１】図３１は、前カバー部分の前面図を示している。
【図３２】図３２は、刃カバー部分の内側斜視図を示している。
【図３３】図３３は、刃カバー部分の外側斜視図を示している。
【図３４】図３４は、第２実施形態の側面図を示している。
【発明を実施するための形態】
【００１９】
この発明の詳細な説明を開始する前に、以下のことを整理する。適切な時、同様な参照数字及び記号は、異なった図において同じ，対応している，又は同様な構成部材を指摘する為に使用されている。この開示に関係している図は正確な寸法で描かれているのではない、即ち、これらの図は寸法の正確さよりも見た目やわかり易さに焦点を当てて描かれている。
【００２０】
明確さの為に、ここに記載されている適用の通常の特徴の全てが示されているのではない。もちろん、いかなるこのような実際の適用の改良において、種々の適用特定決定は、適用及び営業に関連している拘束事項に応じ、開発者の特定の目標を達成するよう行わなければならないし、これらの特定の目標は、１つの適用から他の適用へと、及び一人の開発者から他の開発者へと、変わることが歓迎されている。さらに、このような開発努力は複雑で時間を費やすが、にも拘わらず、この開示の利益を有する当該技術分野において通常の技術の人々の間で通常行われている工学技術である。
【００２１】
図１乃至３３を参照すると、ゼロ隙間丸鋸の第１実施形態１０が示されていて、長手前方向及び長手後方向を規定する正反対の前及び後端１２及び１４を有しており、モータ枠部分１６，ハンドル部分１８，刃デッキ（deck）２０，台座デッキ（deck）２２，下方刃覆い２４，そして第１下方刃覆いトリガー２６を含んでいる。この明細書において「長手（longitudinal）」は一般的に、鋸１０の前後中心線に対し平行な中心線又は向きを引用しており、「横（transverse）」は一般的に長手方向に対し直交して延出している中心線又は向きを引用している。
【００２２】
モータ枠部分１６は、正反対の前端３０及び後端３２，モータ枠部分１６に設けられているモータ３４を含んでいて，モータ３４はモータ枠部分１６の第１横側３８から突出している駆動軸３６に動作的に連結されていて、駆動軸は第１横方向中心線４０を規定している。この実施形態においては、モータ３４は、電気コード４２を介して動力源に連結されることが可能である。代わりに、モータ３４は、バッテリー（batteries），燃料電池（fuel cell），内燃機関，又は他の動力源又はこれらの組み合わせにより駆動されることが出来る。回転軸２８が駆動軸３６に連結されていて、そして、丸鋸刃４８の第２取り付け面２２４に対し適合される第１取り付け面４６を含む。この実施形態においては、回転軸２８は、駆動軸３６から分離可能であるが、駆動軸３６と一体であることが出来る。鋸１０に設けられている回転刃４８の回転は、刃４８の歯先端５２により描かれた周辺に等しい刃円弧５０を規定する。実際には、刃円弧５０は、選択された鋸刃４８の寸法を基にした直径の範囲を有する。この実施形態においては、モータ３４は長手方向に設置されているが、同様に横方向に設置されることが出来る。この実施形態においては、駆動軸３６は、減速ウォーム歯車５４を介してモータ３４に連結されているが、例えばウォーム歯車を除いた横方向エンジン設置又は減速歯車無しでのモータ３４への直接連結を含む、他の形態を使用することも出来る。
【００２３】
図１，２，８そして２８を再び参照すると、ハンドル部分１８はモータ枠部分１６とその後端３２で第２長手方向中心線５６の回りを回転するよう回転可能に連結されている。図１及び図２中に見られる如く、ハンドル部分１８は、モータ枠部分１６に対し少なくとも０°と９０°とを含んでいる、使用者が選択した複数の回転位置に固定されることが可能である。操作者は単に、ハンドル部分雄固定部材３６２を押してモータ枠部分雌固定部分３６４から係合解除し、雄固定部分３６２が新たな位置において雌固定部分３６４中にパチンと音をさせて係合する（snap）するまでハンドル部分１８を回転させるだけで、鋸が準備される。ハンドル部分１８は、握り５８、及びモータ３４を選択的に動作させる為の指操作可能なモータアクチュエータ６０を含む。これに関連して、９０°は、鋸１０が最初に右手操作の為又は左手操作の為の何れかを意図されているか従って、時計回り回転又は反時計回り回転を引用して良く、そして９０°は、鋸刃が搭載されるモータ枠部分第１横側３８から離れる方向を引用し、そして０°はハンドル部分１８が握り５８を刃円弧５０に対し平行に向けて直線状に整列されていることを指摘している。
【００２４】
この実施形態においては、モータアクチュエータ６０を押すことがモータ３４を全速で活動させ、そしてモータトリガー６０を解放することが電磁ブレーキ６２を活動させて駆動軸３６及び刃４８の回転を瞬時に完全に停止させる。この実施形態においては、電磁ブレーキ６２は、この実施形態においては永久磁石ＡＣモータである、モータ３４の巻線に対しＤＣ電流を適用することにより動作し、モータを所定の場所に固定する。
【００２５】
刃デッキ２０が、モータ枠部分第１横側３８上でモータ枠部分１６に強固に連結されている。刃デッキ２０は、回転軸第１取り付け面４６に対し平行な平坦支持表面６４を含む。第１取り付け面４６から刃デッキ支持表面６４までの距離は、刃オフセット深さ６６を規定している。この実施形態において、モータ３４はモータ枠部分第１横側上に第１ブラシ接近口２３６を含み、そして、刃デッキ２０は第１ブラシ接近口２３６と一直線上に整列されている第１開口２３８を含んでいて内部モータブラシ（示されていない）に対する接近を提供する。
【００２６】
この実施形態において、刃デッキ２０は、刃デッキ前端２６２に向かい前方に延出し、その結果として刃デッキ支持表面６４は刃円弧５０の一部分の回りに境界を作るよう前に延出し、それにより刃デッキ内部縁３１４を規定し、刃円弧５０と刃デッキ内部縁３１４との間の半径方向距離が、引っ込み位置における下方刃覆い側壁９２の少なくとも一部分を受け入れる刃ギャップ３１６を規定している。
【００２７】
台座デッキ２２は、前縁６８から正反対の後縁７０まで長手方向に延出しているとともにモータ枠部分第１横側３８に近接した第１横縁７２から第２横縁７４まで横方向に延出し、台座デッキ縁６８，７０，７２，７４が平坦支持表面７６を規定している。台座デッキ２２は、第２横方向中心線７８の回りに枢動可能にモータ枠部分１６に連結されていて、刃基部切断深さ３１８及び刃突っ込み切断深さ３２０を調節するよう第２横方向中心線７８の回りに使用者の選択可能な複数のピッチ角度で固定可能である。台座デッキ２２はまた、第１長手方向中心線８０の回りに枢動可能にモータ枠部分１６に連結されていて、第１長手方向中心線８０の回りに使用者の選択した複数の傾斜角度で固定可能である。図３乃至５，８及び２２乃至２３中に示されている如く、この実施形態においては、傾斜角度は略−１０°から略＋６５°までの範囲内で連続的に調節可能であり、ここにおいて刃円弧５０に対し垂直な台座デッキ支持表面７６は０°を規定している（図３参照）。正の傾斜角度は台座デッキ２２が刃４８の露出している切断部分に向かい枢動しているとして規定され（図５参照）、そして負の傾斜角度は台座デッキ２２が刃４８の露出している切断部分から離れるよう枢動しているとして規定されている（図４参照）。
【００２８】
第１横縁７２は、刃円弧５０及び第１長手方向中心線８０に対し実質的に平行である。この実施形態においては、台座デッキ２２は、台座デッキ２２が傾斜角度を調節する為に第１長手方向中心線８０の回りを枢動された時に、下方刃覆いジャーナル軸受部分８４及び軸受円錐台８６の回りに隙間を提供するようその第１横縁７２に沿う切り欠き８２を含む。この実施形態においては、切り欠き８２の他に、台座デッキ第１横縁７２が刃円弧５０及び第１長手方向中心線８０に近接した真っ直ぐな縁を形成していて、そしてそれは「実質的に」平行として記載されている。この実施形態において、台座デッキ２２は裏側９０に沿った複数の長手方向補剛リブ８８を含み、裏側９０は支持表面７６からは正反対の側である。
【００２９】
この実施形態において、台座デッキ２２は前に設置されたヒンジブロック２５２及び後ろに設置された双中心線連結器２５４によりモータ枠部分１６に連結されている。ヒンジブロック２５２は、第１端２５６及び正反対の第２端２５８を有している。ヒンジブロック第１端２５６は、台座デッキ２２を第１長手方向中心線８０の回りに枢動させて傾斜角を調整するよう、第１長手方向中心線８０に沿い台座デッキ後縁７０から離れて台座デッキ２２に設置されている長手方向枢動継手２６０により、台座２２に対し枢動可能に連結されている。ヒンジブロック第２端２５８は、第２横方向中心線７８の回りで台座デッキ２２を枢動させるよう第２横中心線７８でモータ枠部分１６に枢動可能に連結されている。この実施形態において、ヒンジブロック第２端２５８は、横方向ヒンジ継手２６４により刃デッキ前端２６２に近接して刃デッキ２０に直接連結されており、そして刃デッキ２０はモータ枠部分１６に対し強固に連結されていて、それによりヒンジブロック第２端２５８をモータ枠部分１６に連結している。ヒンジブロック第２端２５８はまた、モータ枠部分１６に直接的に連結されることが出来、その効果は同じである。双中心線ヒンジ連結器２６６は、台座デッキ前縁６８から離れ台座デッキ第１横縁７２に近接して台座デッキ２２に設けられている。双中心線ヒンジ連結器２６６は、第１長手方向中心線８０の回りに台座デッキ２２を枢動させるよう第１長手方向中心線８０に沿い直線状に整列されている長手方向継手２７０を含んでいる第１部分２６８、そして第４横方向中心線２７６に沿い直線状に整列されている横方向ヒンジ継手２７４を含んでいる第２部分２７２を有している。
【００３０】
この実施形態においては、第１摺動コネクタ２７８が、基部切断深さ及び突っ込み切断深さを制御しているピッチ角度を選択的に設定する為に、双中心線ヒンジ連結器２６６及びモータ枠部分１６間を連結している。第１摺動コネクタ２７８は、第１端２８２，第２端２８４，そして近接した第１端２８２から第２端２８４へと延出している第１閉通路２８６を有している第１アーチ状軌道２８０を含む。第１端２８２は双中心線ヒンジ連結器第２部分２７２に連結されている。第１閉通路２８６はその中に突っ込み軸２８８を摺動可能に受け入れている。突っ込み軸２８８はモータ枠部分第１横側３８に連結されている基部２９０から自由端２９２へと延出している。突っ込み軸２８８は第１閉通路２８６を介して延出しており、そして、第１アーチ状軌道２８０及びモータ枠部分１６に対し固定的に係合するよう突っ込み軸２８８に連結されている選択的に解除可能な第１圧縮継手２９４を有する。
【００３１】
この実施形態においては、第２摺動コネクタ２９６が、傾斜角を選択的に設定するよう、台座デッキ２２とヒンジブロック２５２との間を連結している。第２摺動コネクタ２９６は、第２圧縮継手３１０により選択的に固定可能に連結されている重複している第１及び第２アーチ状部分２９８及び３００を含む。第１アーチ状部分２９８は、ヒンジブロック第１端２５６から離れてヒンジブロック２５２に連結されている第１端３０２と第２端３０４とを有する。第２アーチ状部分３００は、台座デッキ後縁７０から離れるとともに台座デッキ第１横縁７２から離れて台座デッキ２２に連結されている第１端３０６を有していて、第２端３０８へと延出し、近接した第１端３０６から第２端３０８へと延出している第２閉通路３１２を伴っている。選択的に解除可能な第２圧縮継手３１０が、傾斜角を設定するよう第１及び第２アーチ状部分２９８及び３００を互いに選択的に固定可能に係合している。
【００３２】
圧縮継手３１０及び２９４は、容易で素早い緩和と締めの為の指レバーを含む。
【００３３】
第１実施形態においては、第１延出位置（図７，２５中に示されている）と第２引っ込み位置（図６，２４中に示されている）との間で移動可能な前デッキ部分３２２が、正確な突っ込み切断と平坦表面の回りの３６０°通路に沿い切断する為の能力とを許容するよう提供されている。前デッキ部分３２２は、正反対の前縁３２４及び後縁３２６、そして、それらの間を延出している平坦支持表面３２８を有する。前デッキ部分３２２は前デッキ部分後縁３２６に近接して、台座デッキ２２へと台座デッキ前縁６８に近接して開閉可能に連結されていて、そして、第３横方向中心線３３０の回りに枢動可能である。前デッキ部分３２２は、少なくとも第１位置（図ｘｘｘ中に示されている）と第２位置（図ｘｘｘ中に示されている）とに揺動可能であり、第１位置においては前デッキ平坦支持表面３２８が台座デッキ平坦支持表面７６に対し同一平面であるとともに前デッキ部分前縁３２４が刃円弧５０の前に延出しており、第２位置においては前デッキ部分平坦支持表面３２８が台座デッキ平坦支持表面７６に対し垂直であるとともに前を向いている。この実施形態においては、前デッキ部分３２２が、前デッキ部分３２２を第１又は第２位置に固定する為のヒンジ継手３３４と係合可能な固定ピン３３２と、固定ピン３３２へ接近する為の前デッキ開口３３６と、を含み、開口３３６は、前デッキ部分３２２が第２位置にある時に、固定ピン３３２と直線状に整列されるよう配置されている。
【００３４】
下方刃覆い２４は、展開位置（図２９参照）と引っ込み位置（図２８参照）との間で移動可能である。下方刃覆い２４は、側壁第１端９４から側壁第２端９６へと刃円弧５０の一部分を取り囲むアーチ状横突出側壁９２を含み、アーチ状側壁９２は刃デッキ支持表面６４と略同一平面である対面縁９８を含んでいる。下方刃覆い２４は、駆動軸３６に対し同心的である刃覆い中心軸４４に対し回転可能に連結されている。下方刃覆い２４は、図６，２９中に示されている展開位置と図２８中に示されている如き引っ込み位置との間で移動可能であり、展開位置においては突出している刃円弧５０の実質的な部分を取り囲んでおり、引っ込み位置においては突出している刃円弧５０のどの部分も本質的に取り囲んでいない。突出している刃は、選択されたピッチ角に従って変化する、台座デッキ２２を越えて離れて鋸モータ枠部分１６の前方に延出している刃円弧５０の一部分をいう。この実施形態においては、下方刃覆い２４が、展開位置において刃円弧５０の全底部分を実質的に取り囲み、もし刃４８が鋸１０に設けられている状態で鋸１０が地面上に載置されたならば、鋸４８は地面に接触しない。
【００３５】
第１実施形態においては、駆動軸３６の断面が軸直径１２２を規定している。刃覆い中心軸４４は駆動軸３６と同心的であるとともに駆動軸３６を取り囲んでおり、刃覆い中心軸４４は外部刃覆い中心軸直径１２６を規定している外部軸受表面１２４を有していて、外部軸受表面１２４は刃覆い中心軸４４上に下方刃覆い２４を回転可能に受け入れる為である。刃覆い中心軸４４は、駆動軸直径１２２よりも大きな内部刃覆い回転軸直径１３０を規定している内部軸受表面１２８を含む。
【００３６】
回転軸２８は第１部位１３２と第１部位１３２から延出している第２部位１３６とを含み、第１部位１３２は覆い中心軸内部軸受表面１２８内で駆動軸３６上に連結する為の中空中心軸１３４を有しており、第２部位１３６は第１取り付け面４６を有しているフランジ１３８を含んでいる。刃覆い中心軸内部軸受表面１２８は、回転軸第１部位１３２を回転可能に受け入れるよう適用されている。第１実施形態においては、刃覆い２４を刃覆い中心軸４４上に保持する為に、回転軸フランジ１３８の直径が刃覆い中心軸外部軸直径１２４よりも大きい。刃覆い円錐台８６は、回転軸２８及び回転軸フランジ１３８の為の隙間を提供するよう、朝顔状に外に拡がっている。
【００３７】
この実施形態においては、回転軸キャップ３３８が、刃４８を回転軸２８に係合させ、それにより駆動軸３６に係合させる、よう、設けられている。回転軸キャップ３３８は：刃中央取り付け部分２１８を介して中央取り付け開口３４２中に挿入し係合する為の刃係合突起３４０；中央取り付け部分第１表面２２０に対し向う周辺フランジ３４４；そこを通って固定具３４８を受け入れる為の回転軸キャップ中央開口３４６；そして、回転軸キャップ中央開口３４２を介して回転軸２８に対し刃４８を係合させる為の中央固定具３４８を含む。この実施形態において、中央固定具３４８は、刃４８を駆動軸３６に連結させる為に回転中心軸第１取り付け面４６に対し刃中央取り付け部分２１８を押すように駆動軸３６の端中に直接螺合されているねじ付ボルトである。回転軸キャップ３３８は、同一平面切断を容易にするよう、回転軸キャップ３３８が刃４８に対し係合されている状態で、回転軸キャップ３３８が刃切断部分第１平坦表面２２８を越えて突出しないよう寸法決めされている深さ３５０を有する。この実施形態においては、刃係合突起３４０が、ダイヤモンド形状の刃中央取り付け開口３４２と係合するようダイヤモンド形状にされているが、他の形状が使用されて良い。
【００３８】
下方刃覆い２４は、前側１００及び正反対の裏側１０２、刃覆い中心軸４４を受け入れる為の内部ジャーナル軸受表面１０４を伴っているジャーナル軸受部分８４，そして、ケーブルを受け入れる為にジャーナル軸受部分８４を取り込んでいる外部綱車１０６を含む。刃覆い中心軸４４は、刃覆いジャーナル軸受８４の為の回転軸受表面を提供していて、回転の間に駆動軸３６及び刃４８を安定させるよう回転中心軸１３４を内部ジャーナル軸受１２８（刃覆い中心軸４４の内部軸受表面）中に受け入れる。
【００３９】
第１下方刃覆いトリガー２６が、下方刃覆い２４を垂直に展開されている位置と引っ込められた位置との間で移動させるよう、下方刃覆い２４に動作的に連結されている。第１実施形態においては、第１トリガー２６が第１脚１４０及び第２脚１４６を有しているレバーアーム（lever arm）であり、第１脚１４０は枢軸２０６に連結されている第１端１４２から第２端１４４へと延出しており、第２脚１４６は第１脚第２端１４４から第２端１４８へと延出していて、指タブ１５０が第２脚第２端１４８に配置されている。第１下方刃覆いトリガー２６は、握り５８を握っている間に操作者の親指によりそれが操作されるよう、モータアクチュエータ６０に近接してハンドル部分１８の第１横側１５２に沿い配置されている。
【００４０】
この実施形態においては、第２下方刃覆いトリガー１５４が、下方刃覆い２４を垂直に展開された位置と引っ込められた位置との間で移動させる為に下方刃覆い２４に動作的に連結されている。第２下方刃覆いトリガー１５４は、握り５８を反対の手で握っている間に操作者の反対の親指によりそれが操作されるよう、モータアクチュエータ６０に近接して第１下方刃覆いトリガー２６からハンドル部分１８の正反対の横側１５６に沿い配置されている。この実施形態において、第２下方刃覆いトリガー１５４は第１脚１５８及び第２脚１６４を有しているレバーアーム（lever arm）であり、第１脚１５８は枢軸２０８に連結されている第１端１６０から第２端１６２へと延出しており、第２脚１６４は第１脚第２端１６２から第２端１６６へと延出していて、指タブ１６８が第２脚第２端１６４に配置されている。
【００４１】
この実施形態においては、中央レバー２０２が、独立した操作を提供する為に、第１及び第２下方刃覆いトリガー２６及び１５４間に配置されている。中央レバー２０２は、横方向に向いている橋状部分１７０，橋状部分１７０の正反対の端１７６及び１７８から第１及び第２脚端１８０及び１８２へと延出している第１及び第２脚１７２及び１７４，そして、橋状部分の正反対の端１７６及び１７８から横に延出している正反対の第１及び第２タブ１８４及び１８６を含んでおり、中央レバー第１及び第２脚１７２及び１７４は第１及び第２脚端１８０及び１８２で、第１及び第２下方刃覆いトリガー２６及び１５４に対し第６横方向中心線１８８上で同心的にハンドル部分１８に枢動可能に連結されている。
【００４２】
第１及び第２タブ１８４及び１８６は第１及び第２下方刃覆いトリガー２６及び１５４に重複していて、トリガー２６又は１５４が押された時、中央レバー２０２を動かすよう第１又は第２トリガー２６又は１５４がそのタブ１８４又は１８６に対し係合する。２重プーリ１９０が第５横方向中心線１９２でモータ枠部分第１横側３８に回転可能に連結されており、２重プーリ１９０は第１直径１９６を有している第１綱車１９４及び第１直径１９６よりも小さな第２直径２００を有している第２綱車１９８を含む。第１ケーブル２０４が中央レバー２０２を第１綱車１９４に連結していて；そして、以前に記載されている如く、第２ケーブル１０８が第２綱車１９８を下方刃覆い綱車１０６の回りで下方刃覆い２４に連結している。
【００４３】
下方刃覆いトリガー２６及び１５４は、第１端２１４で中央レバー２０２に連結しており第２端２１６で２重プーリ第２綱車１９８の回りに巻き掛けられている第１ケーブル２０４により、２重プーリ１９０に動作的に連結されている。下方刃覆い２４は、第２ケーブル１０８により２重プーリ１９０に動作的に連結されている。第２ケーブル１０８は２重プーリ第２綱車の回りに巻き掛けられている第１端２１０と綱車１０６の回りに巻き掛けられている第２端２１２とを有しており、終端１１０がアンカーブロック１１２に連結されている。付勢ばね１１４が、下方刃覆い２４を展開位置へと付勢する為に、第１端１１６でモータ枠部分１６に連結されているとともに第２端１１８で刃覆い２４に連結されている。
【００４４】
互いに独立して動く下方刃覆いトリガー２６，１５４は両手の使用を許容し、そこにおいては一方のトリガーを使用することが他方のトリガーを下げて手に接触させることがない。下方刃覆い２４プーリ及びケーブルシステムが、操作部位を鋸１０上で実質的にいずれの場所にも位置させることを許容し、そして、現存している装置中に共通している直接レバー連結器であるよりもむしろ、回転可能なハンドル部分２８を使用する能力を提供する。２重プ―リ綱車１９４，１９８は、内方の綱車の大きな直径１９６のお蔭で、小さなトリガーの動きに対し大きな覆いの動きを提供する。第２ケーブル１０８は、下方刃覆いジャーナル軸受部分８４の周辺の回りに実質的に回転中心線力を分配し、それにより、覆い２４及び軸４４上で中心線を横切る応力を減少させ、曲げの傾向を減少させる。
【００４５】
図ｘｘｘを参照すると、第１実施形態１０のオフセット丸鋸刃４８が示されている。鋸刃４８は、駆動軸３６に連結されているモータ３４，平坦支持表面６４を含んでいる刃デッキ２０，そして、駆動軸３６に連結されている第１取り付け面４６を有しているゼロ隙間丸鋸１０に除去可能に取り付け可能である。第１取り付け面４６から刃デッキ支持表面６４への距離は、刃オフセット深さ６６を規定している。刃４８は、中央取り付け部分２１８及び中央取り付け部分２１８から外方に延びている切断部分２２６を含む。中央取り付け部分２１８は正反対の第１及び第２表面２２０及び２２２を有していて、中央取り付け部分第表面２２２は第１取り付け面４６に対し合致するよう適合された第２取り付け面２２４を含んでいる。切断部分２２６は、中央取り付け部分２１８から刃周辺２３４に沿って配置された切断縁２３２へと延出している第１及び第２平坦表面２２８及び２３０を有する。この実施形態においては、鋸刃４８は一方向に歯のある鋸刃であり、そして、切断縁２３２は前記周辺に沿って配置されている複数の歯５２に対応している。刃周辺２３４は、切断縁２３２の回転が刃円弧５０を規定するように、刃円弧５０に対し対応又は同一に広がっている。この実施形態においては、刃中央取り付け部分２１８が刃切断部分第２表面２３０から横にオフセットされていて、そして、第２取り付け面２２４から刃切断部分第１平坦表面２２８への距離が刃オフセット深さ４６に等しく、鋸１０へ取り付けられた時に刃切断部分第１平坦表面２２８は刃デッキ平坦支持表面６４に対し同一面になる。
【００４６】
第２握り３５２が、増大された安定性の為の２つの手による操作を許容するよう、横方向に向けられて設けられている。第２握り３５２はまた、第１ケーブル２０４の為の確実な取り回し通路を提供する。第１ケーブル２０４は保護ケーブル被覆３５４を介して第２握り３５２へと延びている。
【００４７】
図ｘｘｘを参照すると、第１実施形態の粉末カバー２４０が示されている。粉末カバー２４０は、切断により生じた粉末の多くを収容する為に、刃円弧５０を実質的に取り囲むよう鋸１０に取り外し可能に連結されている。粉末カバー２４０は、粉末回収システム、例えば業務用真空掃除機又は排出設備、に連結するための排出口２４２を含む。この実施形態においては、粉末カバー２４０は、後カバー部分２４４，下方刃カバー部分２４６，そして、前カバー部分２４８を含む。後カバー部分２４４は、刃デッキ２４の上及び後部分上にスナップ連結することにより刃デッキ２４に対し除去可能に取り付けられていることが出来、そして鋸１０に対し設けられている刃４８の一部分を覆っている。下方刃覆い部分２４６は、刃覆い縁面９８に対し合致するよう側壁及び縁面３５８及び３６０を合致させた状態で、スナップ取り付け部品３５６を使用して下方刃覆い２４に対し取り外し可能に取り付け可能であり、そして後カバー部分２４４に対し回転可能に連結されている。回転可能連結コネクタ２５０は第１横方向中心線４０と同軸であり、下方刃カバー部分２４６は下方刃覆い２４とともに展開位置と引込められた位置との間で移動する。前カバー部分２４８が、台座デッキ前縁６８に近接して台座デッキ２２に対し取り外し可能に取り付け可能であるとともに、台座デッキ２２とともに移動可能である。この実施形態においては、前カバー部分２４８は、ヒンジブロック２５２とともに移動するよう、ヒンジブロック２５２上にスナップ結合しており、ひいては、台座デッキ２２に連結され第２横方向中心線７８の回りで台座デッキ２２とともに移動する。
【００４８】
図１３及び３４を参照すると、第２実施形態１０１０が示されていて、第１実施形態と大略的に同じであるが、ハンドル部分１０１８がモータ枠部分１０１６に対し強固に連結されていて、そして、第１刃覆いトリガー１０２６のみを提供している。この第２実施形態においては、平坦な刃１０４８が、傾斜頭固定具１３６６を使用して、第１刃切断部分平坦表面１２２８上の皿穴傾斜面を有している複数の第１取り付け開口１３６２を介し、刃デッキ平坦支持表面１０６４に対し同一平面に取り付けられている。刃１０４８は、刃を裏返し可能にするよう、正反対の切断部分平坦表面１２３０上に傾斜面を有している複数の第２取り付け開口１３７０を含んで良い。一般的には、刃切断縁は複数の一方向切断歯を有するが、幾つかの刃は両方向切断縁、例えば複数の単純な３角形状歯、を有して良いし、又は歯というよりはむしろ、切断縁の為の薄い研削縁を有している刃であっても良い。裏返し可能な刃は、刃の寿命を延ばす為に望まれ、又は正確でない取り付けを阻止する為（即ち、「単純ミス防止（idiot proofing）」）に望まれてよい。
【００４９】
第２実施形態においては、鋸１０１０は平坦な刃１０４８をゼロ隙間切断の為に同一平面に取り付けるのに適用されている。これに関しては、平坦な刃は刃深さ１０６６が刃厚さと等しいことを意味している。回転軸１０２８は複数の固定具受け入れ孔１３６０を含み；刃中央取り付け部分１２１８が取り付け部材第１表面１２２２上に皿穴１３６４を有しているとともに複数の固定具受け入れ孔１３６０に対応している複数の第１取り付け開口１３６２を有しており；そして、複数の傾斜頭固定具１３６６が、複数の第１取り付け開口１３６２及び複数の固定具受け入れ孔１３６０を介し刃１０４８を回転中心軸１０２８に係合させ、複数の第１取り付け開口１３６２を介し十分に係合された時に取り付け部分第２表面と固定具頭１３６８が同一平面になる。
【００５０】
この実施形態においては、刃中央取り付け部分はまた、複数の第２取り付け開口１３７０を含んで良く、複数の第２取り付け開口１３７０は取り付け部分第２表面上に皿穴１３７２を有しているとともに複数の固定具受け入れ孔１３７０に対応していて、複数の固定具１３６６が複数の第２取り付け開口１３７０を介し中央取り付け部分第２表面と同一平面になるよう係合可能であり、刃は裏返し可能である。
【００５１】
例として第１実施形態１０を使用すると、動作において刃４８は、中央固定具３４８を中央取り付け開口３４６を介して駆動軸３６中にねじ込み固定し、それにより回転軸第１取り付け面４６に対し刃第２取り付け面２２４を押すことにより、鋸１０上に取り付けられる。回転軸２８は駆動軸３６に対し回転するよう係合されていて、そして、下方刃覆い中心軸４４内で安定して駆動軸とともに回転する。同一平面切断を行う為には、操作者は鋸刃第１平坦表面２２８を切断する平坦な表面に対し横たえ、刃デッキ平坦支持表面６４及び刃覆い側壁縁面９８と同一平面で支持されて、モータ使用アクチュエータ６０を操作し、第１又は第２覆いトリガー２６又は２５４を押すことにより下方刃覆い２４を引っ込め、そして、回転している鋸刃４８を材料中に駆動する。もし操作者が最初に前デッキ部分３２２を第２位置へと固定したならば、次に操作者は３６０°を通して切断を連続して良い。例えば、操作者は床壁面に沿い、続いて遠い壁（far wall）を上がり、天井に沿い、そして近い壁を下降して戻り、連続して切断して良い。
【００５２】
或いは、操作者は切り込み（undercut）又は「押し込み（jam）」鋸としての使用の為に刃４８及び平坦支持表面６４を水平に横たわらせるよう９０°までハンドル部分１８を回転させて良い。
【００５３】
当該技術分野において習熟している人々は、請求されている発明の範囲から離れることなく好適な実施形態に対し種々の変更及び変化を成して良いことに気が付く。もちろん、その種々の概念における、この発明の変更は、当該技術分野において習熟している人々には、幾つかは勉強の後にのみ明らかになり、他は機械的，化学的，そして電気的な設計の通常の事項である。好適な実施形態の単一の特徴，機能，又は特性は本質ではない。他の実施形態が可能であり、それらの特別な設計は特定の適用に従っている。このように、この発明の範囲はここに記載されている特定の実施形態により限定されるべきではなく、添付の特許請求の範囲及びその均等物によりのみ規定されるべきである。
なおこの明細書には以下の発明が記載されている。
［１］．
同一平面に取り付けられた丸鋸刃を受け入れるよう適合されている携帯丸鋸であって、前記刃は、正反対の第１及び第２表面を有している中央取り付け部分、及び、刃周辺に沿い配置されている切断縁へと前記中央取り付け部分から延出している正反対の第１及び第２平坦表面を伴っている切断部分を含んでいて、前記切断縁の回転が刃円弧を規定しており、前記鋸が：
ａ．長手方向を規定している正反対の前端及び後端と；
ｂ．正反対の前端及び後端を有しているモータ枠部分であって、
ｉ．動力源に連結可能であり、前記モータ枠部分に設置されているとともに駆動軸に動作的に連結されていて、前記駆動軸が前記モータ枠部分の第１横側から突出しているとともに第１横方向中心線を規定している、モータと、そして、
ｉｉ．前記駆動軸と同心で前記モータ枠部分第１横側から横方向に延出している刃覆い中心軸と、
を含んでいるモータ枠部分と；
ｃ．前記モータ枠部分後端に連結されていて、握りと前記モータを選択的に動作させる為のモータアクチュエータとを含んでいるハンドル部分と；
ｄ．前記モータ枠部分第１横側に強固に連結されていて、平坦支持表面を含んでいる刃デッキと；
ｅ．前記駆動軸に連結されていて、刃中央取り付け部分に合致するよう適合されている第１取り付け面を含んでおり、前記刃取り付け面表面から前記刃デッキ平坦支持表面への距離が刃オフセット深さを規定している回転軸と；
ｆ．展開位置と引っ込み位置との間で移動可能であり、側壁第１端から側壁第２端へと前記刃円弧の一部分を取り囲んでいるアーチ状の横に突出している側壁を有していて、前記アーチ状側壁が前記刃デッキ支持表面と同一平面である対面縁を含んでおり、前記刃覆い中心軸に回転可能に連結されている下方刃覆いと；
ｇ．前縁から正反対の後縁へと長手方向に延出しているとともに前記モータ枠部分第１横側に近接した第１横縁から第２横縁へと横方向に延出している台座デッキであって、前記台座デッキの複数の縁が平坦支持表面を規定しており、第２横方向中心線の回りで枢動可能に前記モータ枠部分に連結されているとともに刃切断深さを調整するよう前記第２横方向中心線の回りで使用者が選択可能な複数のピッチ角で固定可能であり、さらに、第１長手方向中心線の回りで枢動可能に前記モータ枠に連結されているとともに前記第１長手方向中心線の回りで使用者が選択した複数の傾斜角で固定可能である、台座デッキと；
を備えている、丸鋸。
［２］．
ａ．第２長手方向中心線の回りで回転するよう前記モータ枠部分後端に回転可能に連結されているともに使用者が選択した複数の回転位置で固定可能であって、使用者が選択した前記複数の回転位置が少なくとも０°及び９０°を含んでいる、前記ハンドル部分、
をさらに備えている、上記［１］．の如き丸鋸。
［３］．
ａ．前記下方刃覆いを垂直に展開された位置と引っ込められた位置との間で移動させるよう前記下方刃覆いに動作的に連結された第１下方刃覆いトリガー、
をさらに備えている、上記［１］．又は［２］．の如き丸鋸。
［４］．
ａ．第１の手で前記握りを握っている間に、操作者の第１の親指により操作されて良いよう、前記握りに近接して前記ハンドル部分に設置されている前記第１下方刃覆いトリガー、
をさらに備えている、上記［３］．の如き丸鋸。
［５］．
ａ．前記握りに近接して前記ハンドル部分の前記第１横側に沿い前記ハンドル部分に設置されている前記第１刃覆いトリガーと；そして、
ｂ．前記下方刃覆いを前記垂直な展開位置と前記引っ込み位置との間で移動させるよう前記下方刃覆いに動作的に連結されていて、前記第１刃覆いトリガーから前記ハンドル部分の反対側の横側に沿い前記握りに近接して配置されていて、反対側の第２の手で前記握りを握っている間に操作者の親指により操作されて良い、第２下方刃覆いトリガー；
をさらに備えている、上記［４］．の如き丸鋸。
［６］．
ａ．前記刃駆動軸に取り外し可能に連結されることができ、正反対の第１及び第２表面を有していて前記第２表面が前記第１取り付け面に合致するよう適用されている第２取り付け面を備えている中央取り付け部分と、前記中央取り付け部分から前記刃周辺に沿い配置されている切断縁へと延出している正反対の第１及び第２平坦表面を伴っており前記切断縁の回転が前記刃円弧を規定している切断部分と、を含んでいる、丸鋸刃をさらに備えていて；
ｂ．ここにおいては、前記第２取り付け面から前記刃第１平坦表面への距離が前記刃オフセット深さに等しく、前記刃第１平坦表面が前記刃デッキ平坦支持表面に対し同一平面である、
上記［１］．又は［２］．の如き丸鋸。
［７］．
ａ．ここにおいては、前記中央取り付け部分が前記丸鋸刃第２表面から横にオフセットされている、ことをさらに備えている、上記［６］．の如き丸鋸。
［８］．
ａ．複数の固定具受け入れ孔をさらに含んでいる前記回転軸と；
ｂ．前記取り付け部分第１表面上に皿穴を有していて前記複数の固定具受け入れ孔に対し直線状に整列されている複数の第１取り付け開口を有している前記刃中央取り付け部分と；
ｃ．前記複数の第１取り付け開口及び前記固定具受け入れ孔を介し前記刃を前記回転軸に係合させる為の複数の傾斜頭固定具であって、前記複数の第１取り付け開口を介し十分に係合された時に前記複数の固定具の頭が前記取り付け部分第２表面と同一平面になる複数の傾斜頭固定具と；
をさらに備えている、上記［６］．の如き丸鋸。
［９］．
ａ．前記刃中央取り付け部分が前記取り付け部分第２表面上に皿穴を有している複数の第２取り付け開口をさらに有していて、前記複数の第２取り付け開口は前記複数の固定具受け入れ孔に対し直線状に整列され、前記刃が裏返し可能であり、前記複数の固定具が前記複数の第２取り付け開口を介し前記中央取り付け部分第２表面と同一平面で係合可能である、
ことをさらに備えている、上記［８］．の如き丸鋸。
［１０］．
ａ．前記駆動軸の横断面が軸直径を規定していて；
ｂ．前記刃覆い中心軸が駆動軸と同心的であって駆動軸を取り囲んでおり、前記刃覆い中心軸が外部刃覆い中心軸直径を規定している外部軸受表面を有していて、前記外部軸受表面が前記刃覆い中心軸上に下方刃覆いを回転可能に受け入れ；
ｃ．前記刃覆い中心軸がさらに、前記モータ軸直径よりも大きな内部刃覆い中心軸直径を規定している内部軸受表面を含んでいて、前記刃覆い中心軸内部軸受表面は回転軸第１部位を回転可能に受け入れ；
ｄ．前記回転軸が：
ｉ．前記駆動軸上に連結し前記覆い中心軸内部軸受表面内である中空中心軸を備えている第１部位と；そして、
ｉｉ．前記第１部位から延出しており、前記第１取り付け面を含んでいるフランジを備えている第２部位と、
をさらに備えている、
ことをさらに備えている、上記［１］．又は［２］．の如き丸鋸。
［１１］．
ａ．ここにおいては、前記中心軸フランジ直径が、前記刃覆い中心軸上に前記刃覆いを保持する為に、前記刃覆い中心軸外部軸直径よりも大きいことを、
さらに備えている、上記［１０］．の如き丸鋸。
［１２］．
ａ．回転軸キャップであって：
ｉ．刃中心取り付け部分を介し中心取り付け開口中に挿入しそして係合する刃係合突起；
ｉｉ．刃中心取り付け部分第１表面に対面する取り囲み回転軸キャップフランジ；
ｉｉｉ．そこを介して固定具を受け入れる回転軸キャップ中央開口；
を有している回転軸キャップと、そして、
ｂ．刃を前記中央開口を介し前記中心軸に対し係合させる中央固定具と、
をさらに備えている、上記［１０］．の如き丸鋸。
［１３］．
ａ．前記回転軸キャップが、前記回転軸キャップが刃に対し係合し前記回転軸が前記刃切断部分第１平坦表面を越えて突出しないよう寸法決めされている深さを有している、
ことをさらに備えている、上記［１２］．の如き丸鋸。
［１４］．
ａ．正反対の前縁及び後縁とそれらの間を延出している平坦支持表面とを有しており、前記台座デッキ前縁に近接して前記台座デッキと前記後縁に近接してヒンジ状に連結されているとともに第３横方向中心線の回りで枢動可能であり、少なくとも第１位置と第２位置とで固定可能である前デッキ部分、
をさらに備えており、
前記第１位置においては、前記前デッキ平坦支持表面が前記台座デッキ平坦支持表面に対し同一平面であるとともに前記前デッキ部分前縁が前記刃円弧の前に延出し、
前記第２位置においては、前記前デッキ平坦支持表面が前記台座デッキ平坦支持表面に対し垂直であるとともに前方を向いている、
上記［１］．又は［２］．の如き丸鋸。
［１５］．
ａ．前記前デッキ部分を少なくとも前記第１又は前記第２位置に固定する為の固定ピンと、前記固定ピンに接近する為の前デッキ開口と、をさらに含んでいる前記前デッキ部分をさらに備えていて、
前記前デッキ部分が前記第２位置にある時、前記前デッキ開口が前記固定ピンと直線状に整列するよう配置される、
上記［１４］．の如き丸鋸。
［１６］．
ａ．前記刃デッキ支持表面が前記刃円弧の一部分を取り囲むよう前に延出し、それにより刃デッキ内部縁を規定し、前記刃円弧と前記刃デッキ内部縁との間の距離が前記引っ込められた位置における前記下方刃覆い側壁の一部分を受け入れる刃隙間を規定している、
ことをさらに備えている、上記［１］．又は［２］．の如き丸鋸。
［１７］．
ａ．ここにおいては、前記下方刃覆いが前記展開位置へと付勢されている、
ことをさらに備えている、上記［１］．又は［２］．の如き丸鋸。
［１８］．
ａ．ここにおいては、前記第１及び第２刃覆いトリガーが互いに独立して動作可能である、
ことをさらに備えている、上記［５］．の如き丸鋸。
［１９］．
ａ．前記モータ巻線を電磁的に固定する為の電磁ブレーキをさらに備えていて、
前記ブレーキは、前記モータが動力源に連結されている間に前記モータトリガーが開放された時に自動的に動作される、
上記［１］．又は［２］．の如き丸鋸。
［２０］．
ａ．第１端及び正反対の第２端を有していて、前記第１端は、前記第１長手方向中心線の回りに前記台座デッキを枢動させるよう前記第１長手方向中心線に沿い前記台座デッキ後縁から遠くで前記台座デッキに枢動可能に連結されており、前記第２端は、第２横方向中心線の回りに前記台座デッキを枢動させるよう前記第２横方向中心線で前記モータ枠部分に枢動可能に連結されている、ヒンジブロックと；
ｂ．前記台座デッキ前縁から遠くで前記台座デッキ第１横縁に近接して前記台座デッキ設けられていて、前記第１長手方向中心線の回りで前記台座デッキを枢動させるよう前記第１長手方向中心線に沿い直線状に整列されている長手方向ヒンジ継手を備えている第１部分及び第４横断方向中心線に沿い直線状に整列されている横方向ヒンジ継手を備えている第２部分を有している、双中心線ヒンジ連結器と；
ｃ．第１端，第２端，そして、近接した前記第１端から前記第２端へと延出している第１閉通路を有しているアーチ状軌道を備えていて、前記第１端が前記双中心線ヒンジ連結器第２部分に連結されており、前記第１閉通路がそこを介して突っ込み軸を摺動可能に受け入れる、第１摺動コネクタと；そして、
ｄ．前記モータ枠部分の前記第１横側から自由端へと延出しており、前記第１閉通路を介し延出し、前記第１アーチ状軌道及び前記モータ枠部分に対し固定可能に係合するよう前記突っ込み軸に対し連結されている選択的に解除可能な第１圧縮継手を有している、突っ込み軸、
をさらに備えている、上記［１］．又は［２］．の如き丸鋸。
［２１］．
ａ．第１端及び正反対の第２端を有していて、前記第１端は、前記第１長手方向中心線の回りで前記台座デッキを枢動させるよう前記第１長手方向中心線に沿い前記台座デッキ後縁から遠くで前記台座デッキに対し枢動可能に連結されており、前記第２端は、第２横断方向中心線の回りで前記台座デッキを枢動させるよう前記第２横断方向中心線で前記モータ枠部分に枢動可能に連結されている、ヒンジブロックと；
ｂ．前記台座デッキを前記モータ枠部分へと連結するよう前記第１横縁に近接して配置され、前記第１長手方向中心線の回りで前記台座デッキを枢動させるよう前記第１長手方向に沿い直線状に整列されている長手方向回転可能連結器を備えている第１部分及び第４横方向中心線に沿い直線状に整列されている横方向回転可能連結器を備えている第２部分を有している双中心線連結器を更に備えている前記台座デッキと；
ｃ．重複している第１及び第２アーチ状部分を備えていて、
ｉ．前記第１アーチ状部分が、前記ヒンジブロック第１端から遠くで前記ヒンジブロックに連結されている第１端及び第２端を有しており；
ｉｉ．前記第２アーチ状部分が、前記台座デッキ後縁から遠いとともに前記台座デッキ第１横縁から遠くで前記台座デッキに連結されている第１端，第２端，そして、近接した前記第２アーチ状部分第１端から前記第２アーチ状部分第２端へと延出している閉通路を有しており；そして、
ｉｉｉ．前記第１及び第２アーチ状部分を互いに選択的に固定可能に係合する、選択的に解放可能な第２圧縮継手を備えている、
第２摺動コネクタと、
をさらに備えている、上記［１］．又は［２］．の如き丸鋸。
［２２］．
ａ．前記傾斜角が略＋６５°乃至略−１０°の範囲内で連続的に調節可能であって、ここにおいては前記刃円弧に対し垂直に向けられている前記台座デッキ支持表面が０°を規定している、
ことをさらに備えている、上記［１］．又は［２］．の如き丸鋸。
［２３］．
ａ．前記刃円弧を実質的に取り囲むよう、前記鋸に対し取り外し可能に連結可能である粉末カバーをさらに備えている、上記［１］．又は［２］．の如き丸鋸。
［２４］．
前記粉末カバーが：
ａ．後カバー部分，下方刃カバー部分，そして前カバー部分；
をさらに備えていて、
ｂ．前記後カバー部分が、前記刃デッキに取り外し可能に設置されているとともに設置された刃の一部分を覆っていて；
ｃ．前記刃カバー部分が、前記下方刃覆いに対し取り外し可能に設置されているとともに前記第１横方向中心線と同心的に前記後カバー部分に対し回転可能に連結されていて、前記刃カバー部分が前記下方刃覆いとともに移動し；
ｄ．前記前カバー部分が、前記台座デッキ前縁に近接して前記台座デッキに対し取り外し可能に設置されているとともに前記台座デッキとともに移動可能である、
上記［２３］．の如き丸鋸。
［２５］．
ａ．前記モータがさらに、前記モータ枠部分第１横側上に第１ブラシ接近口を含んでいて；
ｂ．前記刃デッキがさらに、モータブラシへの接近を提供するよう前記第１ブラシ接近口と直線状に整列された第１開口を含んでいる、
ことをさらに備えている、上記［１］．又は［２］．の如き丸鋸。
［２６］．
ａ．第５横方向中心線で前記モータ枠部分第１横側に対し回転可能に連結されていて、第１直径を有している第１綱車及び前記第１直径よりも小さな第２直径を有している第２綱車を含んでいる２重プーリと；
ｂ．前記第１下方覆いトリガーを前記第１綱車に動作的に連結している第１ケーブルと；そして、
ｃ．前記第２綱車を前記下方刃覆いに動作的に連結している第２ケーブルと、
をさらに備えている、上記［３］．の如き丸鋸。
［２７］．
ａ．前記第１下方刃覆いトリガーと前記第２下方刃覆いトリガーとの間に配置されていて、横方向を向いている橋状部分，前記橋状部分の正反対の端から第１及び第２脚端へと延出している第１及び第２脚，そして前記橋状部分の正反対の端から横方向に延出している正反対の第１及び第２タブを含んでおり、前記第１及び第２脚が第６横方向中心線上で前記第１及び第２下方刃覆いトリガーと同心的に前記ハンドル部分に対し枢動可能に連結されていて、前記第１及び第２タブが前記第１及び第２下方刃覆いトリガーに重複していている中央レバーであって、個々の前記トリガーが押された時に前記第１又は第２下方刃覆いトリガーの何れかがその対応している前記タブに対し係合し前記中央レバーを移動させる、中央レバーと；
ｂ．第５横方向中心線で前記モータ枠部分第１横側に回転可能に連結されていて、第１直径を有している第１綱車及び前記第１直径よりも小さな第２直径を有している第２綱車を含んでいる２重プーリと；
ｃ．前記中央レバーを前記第１綱車に動作的に連結している第１ケーブルと；そして、
ｄ．前記第２綱車を前記下方刃覆いに動作的に連結している第２ケーブルと、
をさらに備えている、上記［１７］．の如き丸鋸。
［２８］．
ａ．前記下方刃覆いを前記展開位置に向かい付勢するよう、前記モータ枠部分と前記下方刃覆いとの間に連結されている付勢ばね、
をさらに備えている、上記［２６］．の如き丸鋸。
［２９］．
ａ．前記下方刃覆いを前記展開位置に向かい付勢するよう、前記モータ枠部分と前記下方刃覆いとの間に連結されている付勢ばね、
をさらに備えている、上記［２７］．の如き丸鋸。
［３０］．
駆動軸に連結されたモータ，平坦支持表面を含んでいる刃デッキ，そして、駆動軸に連結されている第１取り付け面を有していて、前記第１取り付け面から前記刃デッキ支持表面への距離が刃オフセット深さを規定している、ゼロ隙間丸鋸に対し取り外し可能に取り付けられる丸鋸刃であって、前記丸鋸刃が：
ａ．正反対の第１及び第２表面を有していて、ここにおいては前記第２表面が前記第１取り付け面と合致するよう適合されている第２取り付け面を備えている中央取り付け部分と；
ｂ．前記中央取り付け部分から前記刃周辺に沿い配置されている切断縁へと延出している正反対の第１及び第２平坦表面を有していて、前記切断縁の回転が刃円弧を規定している、切断部分と；
を備えていて、
ｃ．ここにおいては、前記刃中央取り付け部分が前記刃切断部分第２表面から横にオフセットされているとともに、前記第２取り付け面から前記刃切断部分第１平坦表面への距離が前記刃オフセット深さに等しく、前記鋸へと取り付けられた時に前記刃切断部分第１平坦表面が前記刃デッキ平坦支持表面に対し同一平面である、
丸鋸刃。
【符号の説明】
【００５４】
図面の描写を見てみると、ここにおいては同じ参照記号が幾つかの図を通して同じ構成要素を指摘していて、図はこの発明を図示している。使用されている参照数字に関しては、以下の数字が種々の図面の図を通して使用されている。
【００５５】
１０…第１実施形態
１２…鋸前端
１４…鋸後端
１６…モータ枠部分
１８…ハンドル部分
２０…刃デッキ
２２…台座デッキ
２４…下方刃覆い
２６…第１下方刃覆いトリガー
２８…回転軸
３０…モータ枠部分前端
３２…モータ枠部分後端
３４…モータ
３６…駆動軸
３８…モータ枠部分第１横側
４０…第１横方向中心線
４２…電気コード
４４…下方刃覆い中心軸
４６…第１取り付け面
４８…丸鋸刃
５０…刃円弧
５２…刃歯先端
５４…ウォーム減速歯車
５６…第２長手方向中心線
５８…握り
６０…モータアクチュエータ
６２…電磁ブレーキ
６４…刃デッキ平坦支持表面
６６…刃オフセット深さ
６８…台座デッキ前縁
７０…台座デッキ後縁
７２…台座デッキ第１横縁
７４…台座デッキ第２横縁
７６…台座デッキ平坦支持表面
７８…第２横方向中心線
８０…第１長手方向中心線
８２…台座デッキ切り欠き
８４…下方刃覆いジャーナル軸受
８６…下方刃覆いジャーナル軸受円錐台
８８…台座デッキ補剛リブ
９０…台座デッキ裏側
９２…台座覆い側壁
９４…側壁第１端
９６…側壁第２端
９８…側壁対面縁
１００…下方刃覆い前側
１０２…下方刃覆い裏側
１０４…下方刃覆い内部ジャーナル軸受表面
１０６…下方刃覆い外部綱車
１０８…第２ケーブルプーリ
１１０…第２ケーブルプーリ終端
１１２…下方刃覆いアンカーブロック
１１４…下方刃覆い付勢ばね
１１６…下方刃覆い付勢ばね第１端
１１８…下方刃覆い付勢ばね第２端
１２０…
１２２…駆動軸直径
１２４…刃覆い中心軸外部軸受表面
１２６…刃覆い中心軸外部直径
１２８…刃覆い中心軸内部軸受表面
１３０…刃覆い中心軸内部直径
１３２…回転軸第１部位
１３４…回転軸第１部位中空中心軸
１３６…回転軸第２部位
１３８…回転軸第２部位フランジ
１４０…第１覆いトリガー第１脚
１４２…第１覆いトリガー第１脚第１端
１４４…第１覆いトリガー第１脚第２端
１４６…第１覆いトリガー第２脚
１４８…第１覆いトリガー第２脚第２端
１５０…第１覆いトリガー指タブ
１５２…ハンドル部分第１横側
１５４…第２下方刃覆いトリガー
１５６…ハンドル部分第２横側
１５８…第２覆いトリガー第１脚
１６０…第２覆いトリガー第１脚第１端
１６２…第２覆いトリガー第１脚第２端
１６４…第２覆いトリガー第２脚
１６６…第２覆いトリガー第２脚第２端
１６８…第２覆いトリガー指タブ
１７０…中央レバー橋状部分
１７２…中央レバー第１脚
１７４…中央レバー第２脚
１７６…橋状部分第１端
１７８…橋状部分第２端
１８０…橋状部分第１脚端
１８２…橋状部分第２脚端
１８４…橋状部分第１タブ
１８６…橋状部分第２タブ
１８８…第６横方向中心線
１９０…２重プーリ
１９２…第５横方向中心線
１９４…２重プーリ第１綱車
１９６…第１綱車直径
１９８…２重プーリ第２綱車
２００…第２綱車直径
２０２…中央レバー
２０４…第１ケーブル
２０６…第１下方刃覆いトリガー枢軸
２０８…第２下方刃覆いトリガー枢軸
２１０…第２ケーブル第１端
２１２…第２ケーブル第２端
２１４…第１ケーブル第１端
２１６…第１ケーブル第２端
２１８…刃中央取り付け部分
２２０…中央取り付け部分第１表面
２２２…中央取り付け部分第２表面
２２４…第２取り付け面
２２６…刃切断部分
２２８…刃切断部分第１平坦表面
２３０…刃切断部分第２平坦表面
２３２…刃切断縁
２３４…刃周辺
２３６…モータブラシ接近口
２３８…刃デッキ第１開口
２４０…粉末カバー
２４２…排出口
２４４…後カバー部分
２４６…下方刃カバー部分
２４８…前カバー部分
２５０…粉末カバー回転可能連結コネクタ
２５２…ヒンジブロック
２５４…双中心線連結器
２５６…ヒンジブロック第１端
２５８…ヒンジブロック第２端
２６０…台座デッキヒンジブロック長手方向枢動継手
２６２…刃デッキ前端
２６４…ヒンジブロック第２横方向ヒンジ継手
２６６…双中心線ヒンジ連結器
２６８…双中心線ヒンジ連結器第１部分
２７０…双中心線ヒンジ連結器長手方向ヒンジ継手
２７２…双中心線ヒンジ連結器第２部分
２７４…双中心線ヒンジ連結器横方向ヒンジ継手
２７６…第４横方向中心線
２７８…第１摺動コネクタ
２８０…第１アーチ状軌道
２８２…第１アーチ状軌道第１端
２８４…第１アーチ状軌道第２端
２８６…第１閉通路
２８８…突っ込み軸
２９０…突っ込み軸基部
２９２…突っ込み軸自由端
２９４…第１摺動コネクタ第１圧縮継手
２９６…第２摺動コネクタ
２９８…第２摺動コネクタ第１アーチ状部分
３００…第２摺動コネクタ第２アーチ状部分
３０２…第１アーチ状部分第１端
３０４…第１アーチ状部分第２端
３０６…第２アーチ状部分第１端
３０８…第２アーチ状部分第２端
３１０…第２摺動コネクタ圧縮継手
３１２…第２閉通路
３１４…刃デッキ内部縁
３１６…刃ギャップ
３１８…刃基部切断深さ
３２０…刃突っ込み切断深さ
３２２…前デッキ部分
３２４…前デッキ部分前縁
３２６…前デッキ部分後縁
３２８…前デッキ部分平坦支持表面
３３０…第３横方向中心線
３３２…前デッキ部分固定ピン
３３４…前デッキ部分ヒンジ継手
３３６…前デッキ部分開口
３３８…回転軸キャップ
３４０…刃係合突起
３４２…中央取り付け開口
３４４…回転軸キャップフランジ
３４６…回転軸キャップ中央開口
３４８…回転軸キャップ中央固定具
３５０…回転軸キャップ深さ
３５２…第２握り
３５４…ケーブル被覆
３５６…粉末カバー下方刃カバー部分スナップ取り付け部品
３５８…粉末カバー下方刃カバー部分側壁
３６０…粉末カバー下方刃カバー部分側壁縁面
３６２…ハンドル部分雄固定部分
３６４…モータ枠部分雌固定部分
１０１０…第２実施形態
１０２８…回転軸
１３６０…回転軸固定具受け入れ孔
１３６２…第１取り付け開口
１３６４…皿穴傾斜面
１３６６…傾斜頭固定具
１３６８…固定具頭
１３７０…第２取り付け開口
１３７２…皿穴傾斜面
【図１】
0005918237.tif 000002
【図２】
0005918237.tif 000003
【図３】
0005918237.tif 000004
【図４】
0005918237.tif 000005
【図５】
0005918237.tif 000006
【図６】
0005918237.tif 000007
【図７】
0005918237.tif 000008
【図８】
0005918237.tif 000009
【図９】
0005918237.tif 000010
【図１０】
0005918237.tif 000011
【図１１】
0005918237.tif 000012
【図１２】
0005918237.tif 000013
【図１３】
0005918237.tif 000014
【図１４】
0005918237.tif 000015
【図１５】
0005918237.tif 000016
【図１６】
0005918237.tif 000017
【図１７】
0005918237.tif 000018
【図１８】
0005918237.tif 000019
【図１９Ａ】
0005918237.tif 000020
【図１９Ｂ】
0005918237.tif 000021
【図２０】
0005918237.tif 000022
【図２１】
0005918237.tif 000023
【図２２】
0005918237.tif 000024
【図２３】
0005918237.tif 000025
【図２４】
0005918237.tif 000026
【図２５】
0005918237.tif 000027
【図２６】
0005918237.tif 000028
【図２７】
0005918237.tif 000029
【図２８】
0005918237.tif 000030
【図２９】
0005918237.tif 000031
【図３０】
0005918237.tif 000032
【図３１】
0005918237.tif 000033
【図３２】
0005918237.tif 000034
【図３３】
0005918237.tif 000035
【図３４】
0005918237.tif 000036